(57)【要約】【課題】  メモリーカートリッジの保管と、これからのデータの少なくとも読み取りと、このデータ読み取り時の不用意な抜き出しができないようにするロックとを行うことができるメモリカートリッジ用保管庫を、簡単な構成によって提供する。【解決手段】  庫本体１１と、この庫本体１１に設けられて、バスや列車等における利用情報等を記録したメモリーカートリッジ４０が挿入される挿入口１２と、この挿入口１２の内側になる庫本体内１１に配置されて、メモリーカートリッジ４０のデータを読み取る読取装置１３と、挿入口１２に挿入されたメモリーカートリッジ４０の抜き出しを阻止するロック手段２０と、このロック手段２０のロック状態を解除するロック解除手段３０とを備えた。【選択図】      図１
2008077123.tif 000002
【特許請求の範囲】
【請求項１】
庫本体と、この庫本体に設けられて、バスや列車等における利用情報等を記録したメモリーカートリッジが挿入される挿入口と、この挿入口の内側になる前記庫本体内に配置されて、前記メモリーカートリッジのデータを読み取る読取装置と、前記挿入口に挿入された前記メモリーカートリッジの抜き出しを阻止するロック手段と、このロック手段のロック状態を解除するロック解除手段と、を備えることを特徴とするメモリーカートリッジ用保管庫。
【請求項２】
前記ロック手段は、前記庫本体内の外側にあって、前記挿入口内に挿入された前記メモリーカートリッジの前方に形成するロック位置、および前記メモリーカートリッジの前方以外の位置に形成するロック解除位置のいずれかに配置されるロックバーと、このロックバーが前記ロック位置に配置されたときにそのロック位置を保持するロックピンと、を備えることを特徴とする請求項１に記載のメモリーカートリッジ用保管庫。
【請求項３】
前記ロック解除手段は、前記庫本体の外側にて回動される解除レバーと、この解除レバーの回動によって進退される連接棒と、この連接棒の進退に連動して前記庫本体内で進退する連接板と、を備え、この連接板の進退により前記ロック手段によるロック状態を解除することを特徴とする請求項１または請求項２に記載のメモリーカートリッジ用保管庫。
【請求項４】
前記メモリーカートリッジを挿入するための前記挿入口は、、列となるように複数形式されることを特徴とする請求項１〜請求項３のいずれかに記載のメモリーカートリッジ用保管庫。
【請求項５】
前記複数の挿入口は、前記ロック位置に沿った列に対向した位置に配置される、ことを特徴とする請求項２〜請求項４のいずれかに記載のメモリーカートリッジ用保管庫。
【発明の詳細な説明】
【技術分野】
【０００１】
本発明は、バスや列車等の車内に設置されている運賃箱中のメモリーカートリッジを、車内とは別の場所で保管し、かつ少なくともこのメモリーカートリッジに格納されたデータの読み取りが行えるメモリーカートリッジ用保管庫に関する。
【背景技術】
【０００２】
バスや列車等の公共交通機関では、使用者の利便性の向上等の理由から、例えば自動処理運賃箱のように、定期券のチェックや運賃の精算等の各種処理を電子的に行うようにすることが行われている。このような電子的に処理を行う運賃箱では、精算やチェックの処理時間が短縮され、間違いも少ないことから、バス等の利用者にとって大変便利なものとなっている。
【０００３】
このような自動処理を行う運賃箱は、当然、回収した整理券や運賃を収納しておく金庫を備えているが、その他に、乗車券や定期券の利用情報や、売上情報等の各種データが書き込まれるメモリーカートリッジを備えている。このメモリーカートリッジは、特許文献１に示されるように、バス等の運行が終了したときには、乗務員によって自動処理運賃箱から外されて、営業所等の別の場所に持ち帰られることになる。
【特許文献１】特開２０００−１３３４５０号公報、段落００１３
【発明の開示】
【発明が解決しようとする課題】
【０００４】
ところで、営業所等に持ち帰られたメモリーカートリッジについては、上記特許文献１の段落００１３にも記載されているように、営業所等に設置してあるリーダライタによって、中に記録されている各種データが読み取られることになる。読み取られた各種データは、統計をとったりバス等の利用状況の分析等に用いられる。
【０００５】
このようなメモリーカートリッジからのデータの読み取りには時間が必要であり、読み取り中に間違って上記リーダライタから抜き出されると、内部に読み取られずに残っていたデータが壊れることがある。そうなると、そのメモリーカートリッジが有していたデータを、統計や利用状況の分析に使えなくなる。
【０００６】
また、営業日の夜遅くには運行を終えたバスの乗務員が大勢帰ってくるから、この種のメモリーカートリッジは、一時的に大量のものが営業所に帰されることになるが、その際には、今現在読み取りを行っているメモリーカートリッジの抜き出しが誤ってなされないとも限らない。
【０００７】
さらに、翌日になって営業運転を開始する前には、多勢の乗務員がメモリーカートリッジをバス等の運賃箱にセットすべく、営業所のリーダライタからこのメモリーカートリッジを抜き出さなければならないが、その際にはこのメモリーカートリッジの抜き出しが簡単に行えなくてはならない。
【０００８】
すなわち、この種のメモリーカートリッジについては、
（１）貴重なデータを有しているものであるから、特定の場所で保管できるようにすること、（２）その保管時に、データの読み取りや、新規情報の書き込みが自動的に行えるようにすること、（３）データの読み取り時や書き込み時には、不用意に抜き出されないようにロックすること、（４）大量に保管されている場合には、前記（３）のロックが簡単かつ一斉に解除できるようにすること、（５）毎日使用することになるものであるから、構造を簡単にして耐久性の高いものとすること、等が可能なメモリーカートリッジ用保管庫が要求されている。
【０００９】
そこで、本発明者等は、上記（１）〜（５）の要望を満たすことのできるメモリーカートリッジのための保管庫とするにはどうしたらよいか、について種々検討を重ねてきた結果、本発明を完成した。
【００１０】
すなわち、本発明の目的は、メモリーカートリッジの保管と、これからのデータの少なくとも読み取りと、このデータ読み取り時の不用意な抜き出しができないようにするロックとが行える保管庫を、簡単な構成によって提供することにある。
【課題を解決するための手段】
【００１１】
前記目的を達成するために、本発明のうちで請求項１に記載したメモリーカートリッジ用保管庫は、庫本体１１と、この庫本体１１に設けられて、バスや列車等における利用情報等を記録したメモリーカートリッジ４０が挿入される挿入口１２と、この挿入口１２の内側になる庫本体内１１に配置されて、メモリーカートリッジ４０のデータを読み取る読取装置１３と、挿入口１２に挿入された前記メモリーカートリッジ４０の抜き出しを阻止するロック手段２０と、このロック手段２０のロック状態を解除するロック解除手段３０とを備えることを特徴とする。
【００１２】
請求項１に記載のメモリーカートリッジ用保管庫によれば、貴重なデータが書き込まれているメモリーカートリッジ４０およびメモリーカートリッジ用保管庫１０を、営業所等の所定の場所で保管できるとともに、庫本体１１に設けられた挿入口２にメモリーカートリッジ４０を挿入すると、内蔵された読取装置１３によって運賃情報等を自動的に読み取ることができる。その際には、ロック手段２０によって各メモリーカートリッジ４０が不用意に抜き出されるのが防止される。また、この保管庫１０において、各挿入口１２と読取装置１３とを複数設けることにより、大量のメモリーカートリッジ４０の保管を確実かつ簡単に行うことができる。また、ロック解除手段３０によって、簡単にロックを解除することができる。
【００１３】
また、請求項２に記載したメモリーカートリッジ用保管庫１０は、請求項１に記載のメモリーカートリッジ用保管庫１０に加えて、前記ロック手段２０は、前記庫本体１１内の外側にあって、前記挿入口１２内に挿入された前記メモリーカートリッジ４０の前方に形成するロック位置、および前記メモリーカートリッジの前方以外の位置に形成するロック解除位置のいずれかに配置されるロックバー２１と、このロックバー２１が前記ロック位置に配置されたときにそのロック位置を保持するロックピン２３と、を備えることを特徴とする。
【００１４】
請求項２に記載のメモリーカートリッジ用保管庫によれば、請求項１に記載のメモリーカートリッジ用保管庫の作用に加えて、ロック手段２０を、ロックバー２１とロックピン２３という簡単な構造のもので、かつ各メモリーカートリッジ４０のロック状態を確実に作り出せるものとなる。
【００１５】
また、請求項３に記載のメモリーカートリッジ用保管庫１０は、請求項１または請求項２に記載のメモリーカートリッジ用保管庫１０に加えて、前記ロック解除手段３０は、前記庫本体１１の外側にて回動される解除レバー３１と、この解除レバー３１の回動によって進退される連接棒３２と、この連接棒３２の進退に連動して前記庫本体１１内で進退する連接板３３と、を備え、この連接板３３の進退により前記ロック手段２０によるロック状態を解除することを特徴とする。
【００１６】
請求項３に記載のメモリーカートリッジ用保管庫によれば、請求項１または請求項２に記載のメモリーカートリッジ用保管庫の作用に加えて、前記解除レバー３１を単に回動させることにより、前記ロック手段２０によるロック状態を簡単に解除することができる。
【００１７】
また、請求項４に記載のメモリーカートリッジ用保管庫１０は、請求項１〜３のいずれかに記載のメモリーカートリッジ用保管庫１０に加えて、前記メモリーカートリッジを挿入するための前記挿入口１２は、、列となるように複数形式されることを特徴とする。
【００１８】
請求項４に記載のメモリーカートリッジ用保管庫によれば、請求項１〜３のいずれかにに記載のメモリーカートリッジ用保管庫の作用に加えて、多数の前記メモリーカートリッジ４０の保管や運賃情報等の読み取りが行うことができるとともに、前記ロック手段２０によるロックを効率よく行うことができる。
【００１９】
また、請求項５に記載のメモリーカートリッジ用保管庫１０は、請求項２〜４のいずれかに記載のメモリーカートリッジ用保管庫１０に加えて、前記複数の挿入口１２は、前記ロック位置に沿った列に対向した位置に配置される、ことを特徴とする。
【００２０】
請求項５に記載のメモリーカートリッジ用保管庫によれば、請求項２〜４のいずれかにに記載のメモリーカートリッジ用保管庫の作用に加えて、前記庫本体１１の前面が曲面になっていても、複数のメモリーカートリッジ４０のロックは行うことができ、また庫本体１１を箱状ではなく曲面を有するものともすることができる。
【発明の効果】
【００２１】
以上に記載した発明によれば、メモリーカートリッジの保管と、これからのデータの少なくとも読み取りと、このデータ読み取り時の不用意な抜き出しができないようにするロックとが行える保管庫を、簡単な構成によって提供することが可能となる。
【発明を実施するための最良の形態】
【００２２】
（第１の実施形態）
以下、本発明に係るメモリーカートリッジ用保管庫の実施形態について図面を参照して詳細に説明する。図１は、メモリーカートリッジ用保管庫の実施形態を示す斜視図であり、図２は、同保管庫の内部を示す拡大縦断正面図である。また、図３は、図１中の１−１線に沿ってみたロックバーの状態を示すもので、（ａ）はロックバーによるロックが解除されているときの部分拡大側面図、（ｂ）はロックバーによってロック状態が形成されている部分拡大側面図であり、図４は、図３（ａ）にて示した図分の平面図である。図５は、ロック解除手段を構成している連接棒と連接板との関係を示しており、（ａ）は右側の連接棒を中心にしてみた部分拡大平面図、（ｂ）は（ａ）の正面図である。図６は、本発明に係る保管庫によって保管されるメモリーカートリッジが収納された運賃箱の斜視図である。
【００２３】
＜全体構造＞
図１に示すように、本実施形態のメモリーカートリッジ用保管庫１０は、その庫本体１１の前面には、５個の挿入口１２を横方向に並べた１つの列とし、この列が上下４段にわたって形成されており、さらに、庫本体１１内には、５個の挿入口１２が並んだ列に対応するように棚が形成されている。なお、本発明の実施にあたってはこのような配列に限定されない。
【００２４】
図２に示すように、各挿入口１２の庫本体１１内側には、読取装置１３が配置されている。これら各読取装置１３は、図６に示された運賃箱５０から取り出されたメモリーカートリッジ４０のデータを読み取るものである。この各読取装置１３には、図２に示すように、メモリーカートリッジ４０の挿入口を有しているが、この挿入口は、庫本体１１に形成した挿入口１２に対向している。なお、これら各読取装置１３については、データの単なる読み取りだけできるものを採用することの他に、別のデータの書き込みや、消去を行うことができる。
【００２５】
さて、この保管庫１０を構成している庫本体１１の前面には、図１に示すようにロック手段２０を構成しているロックバー２１が、挿入口１２の各列に対向し得るように設けてある。本実施形態のロックバー２１は、直線上の棒であり、その両端を、庫本体１１に対して揺動可能に取り付けた一対の揺動アーム２２に連結してある。従って、各ロックバー２１は、揺動アーム２２の揺動支点を中心にして、図３の（ａ）の状態から、図３（ｂ）の状態に揺動することになる。
【００２６】
ロックバー２１及びこれを支える揺動アーム２２が、図３の（ａ）に示した位置にあれば、挿入口１２及びその内側にある読取装置１３に差し込まれたメモリーカートリッジ４０に対して、ロックバー２１が上方に退避した状態になっているから、挿入口１２への差し込みは勿論、メモリーカートリッジ４０の抜き出しも行えるものである。これに対して、ロックバー２１及びこれを支える揺動アーム２２が図３の（ｂ）に示すような位置になれば、ロックバー２１はメモリーカートリッジ４０の抜き出し方向の前方に位置することになるから、各メモリーカートリッジ４０のロック状態が形成されることになる。
【００２７】
ロックバー２１を支える各揺動アーム２２は、図３の（ａ）及び（ｂ）に示すように、枢軸２２ａによって庫本体１１に揺動自在に連結してあるが、その内端側（上記ロックバー２１とは反対側）にはロックピン２３が一体的に設けてあり、このロックピン２３は、図３の（ｂ）に示したロック状態となったとき、ロック部材６０側のストッパ６３によってロック板６１の施錠溝６２内に固定するようにしている。
【００２８】
また、図１に示すように、庫本体１１は、５個の挿入口１２が形成する列の両側に形成した開口１１ａを有しており、この開口１１ａから各揺動アーム２２が外方に突出し得るようにしてあると共に、この開口１１ａ内で揺動アーム２２が揺動し得る。
【００２９】
また、図３に示すように、ロックバー２１を支えている揺動アーム２２は、その内端側と庫本体１１側との間に介在させたスプリング２４によって、図３の（ａ）に示した状態に常に復帰し得るように付勢されており、図３の（ａ）に示した状態は、庫本体１１内に設けた揺動端ストッパ２５によって維持される。
【００３０】
以上のような構成を有するロック手段２０は、図１及び図２に示すように、挿入口１２の５個列の両側にそれぞれ配置され、そのロックバー２１は、ロック状態にあるときには各挿入口１２の前方に配置することになる。なお、このロック手段２０は、挿入口１２の５個列の一方の端や中程に１個設けるように実施してもよい。
【００３１】
また、図１及び図２に示すように、このロック解除手段３０は、庫本体１１の上部中央に設けた解除レバー３１によって操作される。この解除レバー３１の中心はキー軸３１ａとなっており、このキー軸３１ａにキーを差し込むことにより、回動可能な状態となり、キーを外せば回動不可能な状態となる。
【００３２】
図５に示すように、この解除レバー３１の内端側には、解除レバー３１とともに回動することになるリンク板３１ｂが一体的に設けてあり、このリンク板３１ｂには、左右２本の連接棒３２の内端が回動自在に連結してある。各連接棒３２の外端には、方向変換部３４を介して連接板３３がそれぞれ連結してあり、これら各連接板３３は、各連接棒３２の進退に対応して進退（本実施形態では上下動）する。
【００３３】
また、各連接棒３２上には、当該連接棒３２側と庫本体１１側との間に係止されるスプリング３２ａが介装してあり、このスプリング３２ａによって各連接棒３２の解除レバー３１側への戻りが確実になるようにしてある。そして、各連接棒３２が進退されたときには、図５の（ｂ）に示すように、この進退力は方向変換部３４によって方向が変えられて各連接板３３に伝達される。換言すれば、解除レバー３１の回動によって連接棒３２が、図５の（ｂ）中の白抜き矢印にて示した横方向に進退されると、この力が方向変換部３４において変換されて各連接板３３に伝達される。以上のようにして、各連接板３３は、図５（ｂ）中の白抜き矢印にて示した上下方向に進退することになる。なお、上記連接棒３２を「板状のもの」にして、逆に連接板３３を「棒状のもの」に実施してもよいものである。また、庫本体１１が小さいものである場合、あるいは列となっている挿入口１２、従って保管すべきメモリーカートリッジ４０の数が単数や数が少ない場合には、これらの連接棒３２または連接板３３のいずれかを省略するように実施してもよい。
【００３４】
方向変換部３４においては、コロ３４ａが所定空間内に押し込まれたり、ここから引き出されることにより、各連接板３３の上下動を達成する。図２及び図４に示すように、連接板３３の上下方向のロック手段２０に対応する部分には、スプリング３３ｃが介装してあり、このスプリング３３ｃの付勢力によって各連接板３３は常に上動するようになっている。また、図２及び図４に示すように、各連接板３３の上下方向への進退が確実になるようにするために、各連接板３３には、上下方向の長穴３３ａが形成してあり、この長穴３３ａ内には庫本体１１側に固定したガイドピン３３ｂが係合させてある。これらのガイドピン３３ｂ及び長穴３３ａの案内によって、各連接板３３は常に同一位置で進退されることになる。
【００３５】
また、図３の（ａ）及び（ｂ）にて示すように、各連接板３３の途中には、ロック部材６０が対向させてあり、このロック部材６０を構成しているロック板６１中のストッパ６３のロック状態を解除するための解除アーム６４の先端（連接板３３側端部）が連接板３３に係合する。このロック部材６０は、ロック板６１にストッパ６３を傾動自在に組付けたものである。
【００３６】
このストッパ６３は、ロック板６１に形成してある施錠溝６２内に対して進退するものであり、施錠溝６２とともに、ロック手段２０側のロックピン２３を包み込む空間を形成して、この空間内に入ってきたロックピン２３を固定するものである。このストッパ６３の固定状態は、同じくロック板６１に枢支してある解除アーム６４によって解除されるようになっており、この解除アーム６４を上述したロック解除手段３０側の連接板３３が動かすことにより、ストッパ６３のロック状態が解除される。
【００３７】
＜本実施形態から把握される動作、機能および別例＞
上述したメモリーカートリッジ用保管庫１０は、図１に示すように、バス等の車内に設置してある運賃箱５０（図６参照）から抜き出されたメモリーカートリッジ４０を、庫本体１１に形成してある挿入口１２に差し込んで、このメモリーカートリッジ４０に書き込んであるデータを、読取装置１３（図２参照）によって読み取ると共に、その読み取りの間は勿論、例えば翌日の営業運転時に使用するまでの間、このメモリーカートリッジ４０を保管しておくものである。
【００３８】
つまり、図１及び図２に示すように、営業所等に設置しておかれる庫本体１１に、バス等の車内に設置してあった運賃箱５０から取り出したメモリーカートリッジ４０を挿入するために挿入口１２を形成し、この挿入口１２の庫本体１１内側には、図２に示すように、読取装置１３を設置した。また、挿入口１２に挿入されたメモリーカートリッジ４０は、図１に示すように、ロック手段２０によって、その不用意な抜き出しが行えないようになっており、このロック手段２０によるメモリーカートリッジ４０のロック状態は、ロック解除手段３０によって解除するようにしている。
【００３９】
このようなメモリーカートリッジ用保管庫１０は、その庫本体１１の前面等に形成してある挿入口１２からメモリーカートリッジ４０を挿入するだけで、この挿入口１２の内側に配置してある読取装置１３によって、メモリーカートリッジ４０に運賃箱５０によって書き込まれた運行情報や運賃情報は自動的に読み取られる。その後、各メモリーカートリッジ４０から読み取られた各種情報データは、当該保管庫１０内、あるいはこの保管庫１０に接続されたパソコン等によって所定の処理がなされ、統計をとったりバス等の利用状況の分析等に利用される。
【００４０】
メモリーカートリッジ４０については図１の最下段列、あるいは図３の（ｂ）にて示すように、当該保管庫１０のロック手段２０であるロックバー２１によって、不用意な抜き出しが行えないようにロックされる。最下段列の最後に残っている挿入口１２内に運賃箱５０を挿入した乗務員、あるいは、該当する列の数分のメモリーカートリッジ４０を受け取った管理者が、図１の下から二番目の状態にあるロックバー２１を、図１の最下段のような状態に手で押し下げることにより、当該ロックバー２１が各メモリーカートリッジ４０の抜き出し方向の前方に位置して、ロック手段２０のロック状態が形成される。
【００４１】
つまり、この保管庫１０では、各挿入口１２にメモリーカートリッジ４０が挿入されたときには、そのロック手段２０によって、図１の最下段列のようにメモリーカートリッジ４０の不用意な抜き出しが防止されてと共に、当該メモリーカートリッジ４０からの読取装置１３によるデータ読み取りが十分な時間をかけて確実になし得るように維持され、メモリーカートリッジ４０が一枚であっても多数枚であっても、その保管を確実に行うことができる。
【００４２】
さて、以上のように、メモリーカートリッジ４０からのデータの読み取りが読取装置１３によって自動的かつ完全になされて、例えば翌朝まで多数のメモリーカートリッジ４０を保管していた保管庫１０から、当日の営業のために各メモリーカートリッジ４０を抜き出さなければならない。このメモリーカートリッジ４０は、ロック手段２０によってロック状態にあったから、これを解除しなければならないが、このロック解除を具体的に行うのがロック解除手段３０である。
【００４３】
図１に示すように、このロック解除手段３０は、これを構成している解除レバー３１が、保管庫１０を構成している庫本体１１の前面（各挿入口１２が開口していると同じ面）上部に位置しているから、例えば管理者がこれを回せば、ロック解除手段３０を構成している連接棒３２や連接板３３の連携によって、ロック手段２０のロックバー２１が各メモリーカートリッジ４０の抜き出し方向前方から移動するため、ロック手段２０によるロック状態が解除される。このため、各メモリーカートリッジ４０は、当該乗務員によって容易に抜き出され、運賃箱５０（図６参照）に再びセットできる。
【００４４】
なお、各メモリーカートリッジ４０については、それまで挿入されていた読取装置１３等によって、抜き出される頃までには、その日の運賃箱５０による書き込みが行えるような状態にされている。
【００４５】
また、保管庫１０は、ロック手段２０をロックバー２１とロックピン２３とにより構成しているので、特に、ロックバー２１については、挿入口１２に挿入されたメモリーカートリッジ４０の前方、またはそれ以外の場所に選択的配置されるようにしてある。
【００４６】
このロックバー２１を、挿入口１２に挿入されたメモリーカートリッジ４０の前方に配置するには、庫本体１１に対して揺動する２本の揺動アーム２２の間に架け渡すか、庫本体１１の前面に案内レールを設けておいて、このレールによって平行移動させる等の方法がある。いずれにしても、このロックバー２１は、メモリーカートリッジ４０の前方であるロック位置、またはそれ以外であるロック解除位置に選択的に配置されるものである。
【００４７】
ロックピン２３はロックバー２１に直接設けて、ロックバー２１が例えば図３の（ｂ）の位置にきたとき、ロックバー２１を架け渡している２本の揺動アーム２２の内端側に設けるようにしてあるが、保管庫１０を構成している庫本体１１の一部に係合するようなものであっても良い。そしてロックピン２３は、図３の（ｂ）に示した位置になったとき、ロック部材６０を構成しているロック板６１の施錠溝６２内に入り込み、このロック板６１に設けてあるストッパ６３によってその施錠溝６２からの飛び出しを阻止することにより、ロックバー２１のロック状態を形成する。
【００４８】
さらに、このメモリーカートリッジ用保管庫１０では、そのロック解除手段３０を、図１に示すような庫本体１１の外側に位置する解除レバー３１と、この解除レバー３１の回動に伴って進退する連接棒３２と、この連接棒３２の進退に連動する連接板３３とにより構成したものである。
【００４９】
連接棒３２が解除レバー３１の回動に伴って進退するようにするには、図５の（ａ）及び（ｂ）に示すように、解除レバー３１の背面にリンク板３１ｂを取り付けておいて、このリンク板３１ｂに連接棒３２の一端を回動自在に連結する構成としても良いが、例えば解除レバー３１と軸心を同じくする円板または円筒にワイヤを巻回しておき、このワイヤに連接棒３２の端部を連結するようにしても良い。
【００５０】
以上の連接棒３２に、その進退に連動する連接板３３を連結するには、方向変換部３４を介して行うようにしてもよいが、前述した連接棒３２と解除レバー３１との連結におけるように、庫本体１１の隅角部に取り付けた固定滑車に掛けたワイヤの両端に連接棒３２と連接板３３とをそれぞれ連結するようにしてもよい。
【００５１】
つまり、ロック解除手段３０としては、解除レバー３１の回動によって、連接棒３２を介して連接板３３が進退するのであれば、どのような構成であってもよい。
【００５２】
解除レバー３１の回動に応じて進退する連接板３３は、前述したロック手段２０のロック状態を解除するものである必要があるが、図３の（ｂ）に示すように、連接板３３が図中の矢印方向に移動するとき解除アーム６４を上動させるようにしてあり、この解除アーム６４はロック板６１中のストッパ６３を施錠溝６２の開放方向に動かすようになっている。上記で例示したように、ロックバー２１にピンが直接設けてあり、このピンが庫本体１１内のロックアーム等でロックされていたとすると、このロックアーム等を連接板３３が解除するようにしておいてもよい。
【００５３】
また、このメモリーカートリッジ用保管庫１０は、例えば図１に示すように、庫本体１１の前面に複数の挿入口１２を列となるように形成したものであり、これにより、１つの保管庫１０について多数のメモリーカートリッジ４０の保管やこのメモリーカートリッジ４０からの運賃情報等の読取装置１３による読み取りを同時にまたは時間差を許容して多数のメモリーカートリッジ４０について行えるようにしてある。さらにロック手段２０によるロックが一括して行うことができる。
【００５４】
また、このメモリーカートリッジ用保管庫１０は、ロック手段２０を構成しているロックバー２１のロック位置に、複数の挿入口１２が形成する列がなるようにしたものであり、ロックバー２１が直線でなくても、多数のメモリーカートリッジ４０の保管やロックができるようにしている。また、これらの挿入口１２が列となるようにしたのは、この列に対応する１本のロックバー２１によって、当該列を構成している多数の挿入口１２内に挿入されている多数のメモリーカートリッジ４０のロックを行えるようにするためである。
【００５５】
図１に示した列では、ロック手段２０が直線上のロックバー２１であるが、このロックバー２１は必ずしも直線であると必要はなく、例えば、庫本体１１の前面が曲面であれば、ロックバー２１もこの曲面に応じた曲線にするようにしてもよい。
【００５６】
（その他の実施形態）
【００５７】
上記第１の実施形態では、ロック解除手段３０の解除レバー３１によって、連接棒３２と連接板３３とを動かすようにしているが、例えば挿入口１２が縦に一列のみ形成したような保管庫１０であれば、連接棒３２を省略することができるし、逆に、横一列の挿入口１２を有した保管庫１０であれば、連接板３３を省略して連接棒３２のみで対処できる。
【００５８】
また、庫本体１１の前面が完全な平面となる保管庫１０を、図１等において例示しているが、多勢の乗務員が同時にメモリーカートリッジ４０の挿入や抜き出しが行えるようにするために、庫本体１１の前面を曲面にしたり、あるいは多角形のものとすることもできる。その場合には、各ロックバー２１は直線ではなく庫本体１１の前面形状に合ったものとする必要がある。
【００５９】
さらに、第１の実施形態では、ロック手段２０を構成しているロックバー２１として、両側の揺動アーム２２によって扇形に揺動するものを例示しているが、例えば、庫本体１１側に上下方向のレールを設けておき、このレールによってロックバー２１が平行移動されるように実施してもよい。
【００６０】
（上記実施形態から把握される作用・効果）
（ａ）メモリーカートリッジ用保管庫１０は、庫本体１１と、この庫本体１１に設けられて、バスや列車等における利用情報等を記録したメモリーカートリッジ４０が挿入される挿入口１２と、この挿入口１２の内側になる庫本体内１１に配置されて、メモリーカートリッジ４０のデータを読み取る読取装置１３と、挿入口１２に挿入された前記メモリーカートリッジ４０の抜き出しを阻止するロック手段２０と、このロック手段２０のロック状態を解除するロック解除手段３０とを備えている。したがって、貴重なデータが書き込まれているメモリーカートリッジ４０およびメモリーカートリッジ用保管庫１０を、営業所等の所定の場所で保管できるとともに、庫本体１１に設けられた挿入甲２にメモリーカートリッジ４０を挿入すると、内蔵された読取装置１３によって運賃情報等を自動的に読み取ることができる。その際には、ロック手段２０によって各メモリーカートリッジ４０が不用意に抜き出されるのが防止される。また、この保管庫１０において、各挿入口１２と読取装置１３とを複数設けることにより、大量のメモリーカートリッジ４０の保管を確実かつ簡単に行うことができる。また、ロック解除手段３０によって、簡単にロックを解除することができる。
【００６１】
（ｂ）メモリーカートリッジ用保管庫１０は、ロック手段２０を、庫本体内１１の外側であって、挿入口１２内に挿入されたメモリーカートリッジ４０の前方であるロック位置、またはこれ以外であるロック解除位置に選択的に配置されるロックバー２１と、このロックバー２１がロック位置になったときにその位置を保持するロックピン２３とを備えている。したがって、ロック手段２０を、ロックバー２１とロックピン２３という簡単な構造のもので、かつ各メモリーカートリッジ４０のロック状態を確実に作り出せるものとなる。
【００６２】
（ｃ）メモリーカートリッジ用保管庫１０は、ロック解除手段３０を、前記庫本体１１の外側にて回動される解除レバー３１と、この解除レバー３１の回動によって進退される連接棒３２と、この連接棒３２の進退に連動して庫本体１１内で進退する連接板３３と、この連接板３３の進退により前記ロック手段２０によるロック状態を解除するようにした。したがって、解除レバー３１を単に回動させることにより、ロック手段２０によるロック状態を簡単に解除することができる。
【００６３】
（ｄ）メモリーカートリッジ用保管庫１０は、メモリーカートリッジ４０を挿入するための挿入口１２を、列となるように複数形式した。したがって、多数のメモリーカートリッジ４０の保管や運賃情報等の読み取りが行うことができるとともに、ロック手段２０によるロックを効率よく行うことができる。
【００６４】
（ｅ）メモリーカートリッジ用保管庫１０は、複数の挿入口１２を、ロック装置２０を構成しているロックバー２１の、ロック位置に沿った列とした。したがって、庫本体１１の前面が曲面になっていても、複数のメモリーカートリッジ４０のロックは行うことができ、また庫本体１１を所謂箱状ではなく曲面を有するものともすることができる。
【００６５】
以上に記載した実施形態によれば、メモリーカートリッジの保管と、これからのデータの少なくとも読み取りと、このデータ読み取り時の不用意な抜き出しができないようにするロックとが行える保管庫を、簡単な構成によって提供することが可能となり、具体的には、以下に記載の効果が得られる。
【００６６】
（１）貴重なデータを有しているものであるメモリーカートリッジ４０を、特定の場所で保管できる。
（２）その保管時に、メモリーカートリッジ４０からのデータの読み取りや、新規情報の書き込みが自動的に行える。
（３）メモリーカートリッジ４０からのデータの読み取り時や書き込み時には、このメモリーカートリッジ４０が不用意に抜き出されないようにロックすることができる。
（４）メモリーカートリッジ４０が大量に保管されている場合には、前記（３）のロックが簡単かつ一斉に解除できる。
（５）毎日使用することになるものであるから、構造を簡単にして耐久性の高いものとすることができる。
【００６７】
（メモリカートリッジを収納した運賃箱の別形態）
図７〜図１８は、上述したメモリカートリッジを収納できるバス用の運賃箱（タイプＡ〜Ｆ）であり、その外観の斜視図および六面図を示している。これらの運賃箱の形態から把握される技術的思想を以下に記す。
・  バスや列車等における利用情報等を記録したメモリーカートリッジを収納する運賃箱であって、紙幣及び硬貨を投入する金銭投入口とつり銭払い出し口を備えた金銭収受手段と、前記金銭収受手段によって金銭収受が行われた結果を表示する金銭収受結果表示手段と、磁気カードによって清算処理を行う磁気カード清算手段と、非接触ＩＣカードによって清算処理を行う非接触ＩＣカード清算手段と、前記磁気カード清算手段あるいは非接触ＩＣカード清算手段によって清算処理が行われた結果を表示する表示手段と、を具備する運賃箱。
【図面の簡単な説明】
【００６８】
【図１】本実施形態に係るメモリカートリッジ用保管庫の斜視図である。
【図２】同保管庫の内部を示す拡大縦断正面図である。
【図３】図１中の１−１線に沿ってみたロックバーの状態を示すもので、（ａ）はロックバーによるロックが解除されているときの部分拡大側面図、（ｂ）はロックバーによってロック状態が形成されている部分拡大側面図である。
【図４】図３の（ａ）にて示した図分の平面図である。
【図５】ロック解除手段を構成している連接棒と連接板との関係を示すもので、（ａ）は右側の連接棒を中心にしてみた部分拡大平面図、（ｂ）は（ａ）の正面図である。
【図６】本実施形態に係る保管庫によって保管されるべきメモリーカートリッジが入れられていた運賃箱の斜視図である。
【図７】別形態（タイプＡ）の運賃箱を示す斜視図である。
【図８】別形態（タイプＡ）の運賃箱を示す六面図である。
【図９】別形態（タイプＢ）の運賃箱を示す斜視図である。
【図１０】別形態（タイプＢ）の運賃箱を示す六面図である。
【図１１】別形態（タイプＣ）の運賃箱を示す斜視図である。
【図１２】別形態（タイプＣ）の運賃箱を示す六面図である。
【図１３】別形態（タイプＤ）の運賃箱を示す斜視図である。
【図１４】別形態（タイプＤ）の運賃箱を示す六面図である。
【図１５】別形態（タイプＥ）の運賃箱を示す斜視図である。
【図１６】別形態（タイプＥ）の運賃箱を示す六面図である。
【図１７】別形態（タイプＦ）の運賃箱を示す斜視図である。
【図１８】別形態（タイプＦ）の運賃箱を示す六面図である。
【符号の説明】
【００６９】
１０・・・メモリーカートリッジ用保管庫、１１・・・庫本体、１１ａ・・・開口、１２・・・挿入口、１３・・・読取装置、２０・・・ロック手段、２１・・・ロックバー、２２・・・揺動アーム、２２ａ・・・枢軸、２３・・・ロックピン、２４・・・スプリング、２５・・・揺動端ストッパ、３０・・・ロック解除手段、３１・・・解除レバー、３１ａ・・・キー軸、３１ｂ・・・リンク板、３２・・・連接棒、３２ａ・・・スプリング、３３・・・連接板、３３ａ・・・長穴、３３ｂ・・・ガイドピン、３３ｃ・・・スプリング、３４・・・方向変換部、３４ａ・・・コロ、４０・・・メモリーカートリッジ、５０・・・運賃箱、６０・・・ロック部材、６１・・・ロック板、６２・・・施錠溝、６３・・・ストッパ、６４・・・解除アーム。
【図１】
2008077123.tif 000003
【図２】
2008077123.tif 000004
【図３】
2008077123.tif 000005
【図４】
2008077123.tif 000006
【図５】
2008077123.tif 000007
【図６】
2008077123.tif 000008
【図７】
2008077123.tif 000009
【図８】
2008077123.tif 000010
【図９】
2008077123.tif 000011
【図１０】
2008077123.tif 000012
【図１１】
2008077123.tif 000013
【図１２】
2008077123.tif 000014
【図１３】
2008077123.tif 000015
【図１４】
2008077123.tif 000016
【図１５】
2008077123.tif 000017
【図１６】
2008077123.tif 000018
【図１７】
2008077123.tif 000019
【図１８】
2008077123.tif 000020